(57)【要約】【課題】ホルダ内にレンズを十分な強度で固定することのできるレンズユニットを提供すること。【解決手段】レンズユニット１０において、ホルダ９の第２筒部９２には、プラスチックレンズからなる第２レンズ２（溝付きレンズ）のフランジ部２５が圧入されてフランジ部２５の外周面２５０に接するレンズ圧入部９２３と、第２レンズ２のフランジ部２５の物体側Ｌａの面に物体側Ｌａから被さるカシメ部９２５とが設けられており、カシメ部９２５の先端部と第２レンズ２とは接着剤８で固定されている。第２レンズ２のフランジ部２５には、カシメ部９２５より径方向内側で光軸Ｌに沿う方向に凹んだ溝２７が周方向に延在するように形成されており、余剰な接着剤８は、溝２７の内部で保持されている。【選択図】図２
2019060944.tif 000002
【特許請求の範囲】
【請求項１】
複数のレンズと、
前記複数のレンズが内側に配置された筒状のホルダと、
を有し、
前記複数のレンズのうちの少なくとも１枚のレンズは、物体側レンズ面と、像側レンズ面と、前記物体側レンズ面および前記像側レンズ面を径方向外側で囲み、光軸方向で対向する２面を備えたフランジ部と、を有するプラスチックレンズであって、前記フランジ部の物体側の面に、像側に向けて凹んだ第１溝が周方向に延在するように形成された溝付きレンズであり、
前記ホルダは、前記フランジ部が内側に圧入されたレンズ圧入部を備え、
前記フランジ部の物体側の面と前記ホルダとは、前記第１溝より径方向外側に設けられた接着剤によって固定され、
前記第１溝は、余剰な前記接着剤を保持していることを特徴とするレンズユニット。
【請求項２】
前記ホルダは、前記接着剤より径方向外側で前記フランジ部に物体側から被さって前記溝付きレンズの物体側への移動を規制するカシメ部を備え、
前記接着剤は、前記カシメ部の径方向内側の端部と前記フランジ部とを固定していることを特徴とする請求項１に記載のレンズユニット。
【請求項３】
前記レンズ圧入部には、前記フランジ部の外周面のうち、像側に位置する部分が圧入されており、
前記溝付きレンズにおいて前記物体側レンズ面の外縁と前記像側レンズ面の外縁とを結ぶ仮想の環状面より径方向外側に位置する外周側部分には、前記カシメ部より径方向内側で、前記外周側部分の像側の面から光軸に沿う方向に凹んだ第２溝が周方向に延在するように形成され、
前記第２溝の深さ方向の少なくとも一部は、光軸に直交する方向からみたとき、前記レンズ圧入部と重なっていることを特徴とする請求項２に記載のレンズユニット。
【請求項４】
前記溝付きレンズには、少なくとも、前記物体側レンズ面に反射防止層がコーティングされていることを特徴とする請求項３に記載のレンズユニット。
【請求項５】
前記第２溝の内部には、遮光層が設けられていることを特徴とする請求項３また４に記載のレンズユニット。
【請求項６】
前記第２溝は、前記物体側レンズ面および前記像側レンズ面を全周にわたって囲むように環状に形成されていることを特徴とする請求項３から５までの何れか一項に記載のレンズユニット。
【請求項７】
前記ホルダは、前記複数のレンズのうち、最も物体側に配置された第１レンズが内側に配置された第１筒部と、前記第１筒部より像側で前記複数のレンズのうち、物体側から２番目以降に位置するレンズが内側に配置され、前記第１筒部より内径が小さい第２筒部と、を有し、
前記溝付きレンズは、前記複数のレンズのうち、物体側から２番目に配置された第２レンズであることを特徴とする請求項１から６までの何れか一項に記載のレンズユニット。
【発明の詳細な説明】
【技術分野】
【０００１】
本発明は、複数のレンズが筒状のホルダに保持されたレンズユニットに関するものである。
【背景技術】
【０００２】
複数のレンズが筒状のホルダに保持されたレンズユニットに関して、ホルダに、最も物体側の第１レンズを保持する第１筒部と、物体側から２番目の第２レンズを保持する第２筒部とを設けた構造が提案されている。第２レンズは、レンズ面を径方向外側で囲むフランジ部を備えており、フランジ部をホルダの第２筒部に圧入することにより、第２レンズがホルダに固定されている（特許文献１参照）。
【先行技術文献】
【特許文献】
【０００３】
【特許文献１】特開２０１４−１７０１２４号公報
【発明の概要】
【発明が解決しようとする課題】
【０００４】
しかしながら、レンズユニットを車に搭載したときのように、レンズユニットに振動が加わるような場合、第２レンズを第２筒部に圧入しただけでは、第２レンズの固定強度が十分でないという問題点がある。
【０００５】
以上の問題点に鑑みて、本発明に課題は、ホルダ内にレンズを十分な強度で固定することのできるレンズユニットを提供することにある。
【課題を解決するための手段】
【０００６】
上記課題を解決するために、本発明に係るレンズユニットは、複数のレンズと、前記複数のレンズが内側に配置された筒状のホルダと、を有し、前記複数のレンズのうちの少なくとも１枚のレンズは、物体側レンズ面と、像側レンズ面と、前記物体側レンズ面および前記像側レンズ面を径方向外側で囲み、光軸方向で対向する２面を備えたフランジ部と、を有するプラスチックレンズであって、前記フランジ部の物体側の面に、像側に向けて凹んだ第１溝が周方向に延在するように形成された溝付きレンズであり、前記ホルダは、前記フランジ部が内側に圧入されたレンズ圧入部を備え、前記フランジ部の物体側の面と前記ホルダとは、前記第１溝より径方向外側に設けられた接着剤によって固定され、前記第１溝は、余剰な前記接着剤を保持していることを特徴とする。
【０００７】
本発明において、溝付きレンズのフランジ部は、ホルダのレンズ圧入部に圧入されているとともに、接着剤によってホルダと固定されている。このため、ホルダ内に溝付きレンズを十分な強度で固定することができる。溝付きレンズのフランジ部には、フランジ部の物体側の面から像側に向けて凹んだ第１溝が周方向に延在するように形成されており、接着剤は、第１溝より径方向外側に設けられている。このため、接着剤を塗布した際、余剰な接着剤を第１溝に流入させることができるので、接着剤が溝付きレンズのレンズ面（物体側レンズ面および像側レンズ面）まで流出することを抑制することができる。
【０００８】
本発明において、前記ホルダは、前記接着剤より径方向外側で前記フランジ部に物体側から被さって前記溝付きレンズの物体側への移動を規制するカシメ部を備え、前記接着剤は、前記カシメ部の径方向内側の端部と前記フランジ部とを固定している態様を採用することができる。かかる態様によれば、溝付きレンズをカシメ部で固定した後、接着剤を塗
布することができる。
【０００９】
本発明において、前記レンズ圧入部には、前記フランジ部の外周面のうち、像側に位置する部分が圧入されており、前記溝付きレンズにおいて前記物体側レンズ面の外縁と前記像側レンズ面の外縁とを結ぶ仮想の環状面より径方向外側に位置する外周側部分には、前記カシメ部より径方向内側で、前記外周側部分の像側の面から光軸に沿う方向に凹んだ第２溝が周方向に延在するように形成され、前記第２溝の深さ方向の少なくとも一部は、光軸に直交する方向からみたとき、前記レンズ圧入部と重なっている態様を採用することができる。溝付きレンズのフランジ部には、カシメ部から像側に向かう応力が加わり、レンズ圧入部から径方向内側に向かう応力が加わっているが、本発明では、溝付きレンズの外周側部分には、カシメ部より径方向内側で光軸に沿う方向に凹んだ第２溝が周方向に延在するように形成され、第２溝の深さ方向の少なくとも一部は、光軸に直交する方向からみたとき、レンズ圧入部と重なっている。このため、溝付きレンズでは、フランジ部から径方向内側に向かう応力が第２溝によって吸収されるので、レンズ面（物体側レンズ面および像側レンズ面）が変形しにくい。また、レンズ圧入部にはフランジ部の外周面のうち、像側に位置する部分が圧入されている構造に対応して、第２溝は、外周側部分の像側の面から物体側に向けて凹んでいる。このため、光軸に直交する方向からみたとき、第２溝の深さ方向の少なくとも一部がレンズ圧入部と重なるように、第２溝を設けやすい。
【００１０】
本発明において、前記溝付きレンズには、少なくとも、前記物体側レンズ面に反射防止層がコーティングされている態様を採用することができる。かかる構成を採用した場合でも、溝付きレンズでは、物体側レンズ面が変形しにくいので、反射防止層にクラックが発生することを抑制することができる。
【００１１】
本発明において、前記第２溝の内部には、遮光層が設けられている態様を採用することができる。かかる態様によれば、第２溝の壁面での内部反射を抑制することができる。従って、溝付きレンズに物体側から入射した光が第２溝の壁面で反射して像側に迷光として出射されることを抑制することができる。それ故、迷光に起因するゴーストの発生を抑制することができる。
【００１２】
本発明において、前記第２溝は、前記物体側レンズ面および前記像側レンズ面を全周にわたって囲むように環状に形成されている態様を採用することができる。かかる態様によれば、レンズ圧入部が周方向の複数個所に設けられている場合でも、溝付きレンズでは、径方向内側に向かう応力が第２溝によって適正に吸収される。従って、レンズ面（物体側レンズ面および像側のレンズ面）の変形をより適正に防止することができる。
【００１３】
本発明において、前記ホルダは、前記複数のレンズのうち、最も物体側に配置された第１レンズが内側に配置された第１筒部と、前記第１筒部より像側で前記複数のレンズのうち、物体側から２番目以降に位置するレンズが内側に配置され、前記第１筒部より内径が小さい第２筒部と、を有し、前記溝付きレンズは、前記複数のレンズのうち、物体側から２番目に配置された第２レンズである態様を採用することができる。
【発明の効果】
【００１４】
本発明において、溝付きレンズのフランジ部は、ホルダのレンズ圧入部に圧入されているとともに、接着剤によってホルダと固定されている。このため、ホルダ内に溝付きレンズを十分な強度で固定することができる。溝付きレンズのフランジ部には、フランジ部の物体側の面から像側に向けて凹んだ第１溝が周方向に延在するように形成されており、接着剤は、第１溝より径方向外側に設けられている。このため、接着剤を塗布した際、余剰な接着剤を第１溝に流入させることができるので、接着剤が溝付きレンズのレンズ面（物体側レンズ面および像側レンズ面）まで流出することを抑制することができる。
【図面の簡単な説明】
【００１５】
【図１】本発明の実施形態１に係るレンズユニットの断面構成を示す説明図である。
【図２】図１に示す第２レンズの端部等を拡大して示す説明図である。
【図３】本発明の実施形態２のレンズユニットの第２レンズの端部等を拡大して示す説明図である。
【図４】本発明の実施形態３のレンズユニットの第２レンズの端部等を拡大して示す説明図である。
【図５】本発明の実施形態４のレンズユニットの第２レンズの端部等を拡大して示す説明図である。
【発明を実施するための形態】
【００１６】
以下、本発明の実施の形態を説明する。以下の説明では、４群５枚のレンズ構成のレンズユニットを中心に説明し、他のレンズ構成については、「他の実施の形態」で説明する。また、以下の説明では、第２レンズを「溝付きレンズ」として構成した場合を中心に説明し、他のレンズを「溝付きレンズ」として構成した場合については、「他の実施の形態」で説明する。
【００１７】
［実施形態１］
（レンズユニットの構成）
図１は、本発明の実施形態１に係るレンズユニット１０の断面構成を示す説明図である。図１に示すように、本形態のレンズユニット１０は、光軸Ｌに沿って配置された複数のレンズからなる広角レンズ１０ａと、複数のレンズを保持する樹脂製のホルダ９とを有している。本形態において、レンズユニット１０は、４群５枚のレンズ構成を有しており、物体側Ｌａから像側Ｌｂに向けて、負のパワーを有する第１レンズ１、負のパワーを有する第２レンズ２、環状の遮光シート８１、正のパワーを有する第３レンズ３、絞り８２、および正のパワーを有する接合レンズ６（第４レンズ４および第５レンズ５）が配列されている。第１レンズ１は、第１レンズ１、第２レンズ２、第３レンズ３、および接合レンズ６より外径が大きい。接合レンズ６に対して像側Ｌｂでは、赤外線フィルタ８３がホルダ９に保持されている。
【００１８】
第１レンズ１はガラスレンズである。第２レンズ２、第３レンズ３、第４レンズ４および第５レンズ５は各々、プラスチックレンズであり、レンズ面２１、２２、レンズ面３１、３２、レンズ面４１、４２、およびレンズ面５１、５２を外周側で囲むフランジ部２５、３５、４５、５５を備えている。フランジ部２５、３５、４５、５５は各々、光軸Ｌ方向で対向する２面を備えている。例えば、第２レンズのフランジ部２５は、物体側Ｌａの面２５１と、像側Ｌｂの面２５２とを備えており、面２５１、２５２は、光軸Ｌ方向で対向している。本形態において、第２レンズ２は、後述するように、溝付きレンズとして構成されている。
【００１９】
第１レンズ１は、物体側Ｌａのレンズ面１１が凸状の曲面からなり、像側Ｌｂのレンズ面１２が凹状の曲面からなる。第２レンズ２は、物体側Ｌａのレンズ面２１が凸状の曲面からなり、像側Ｌｂのレンズ面２２が凹状の曲面からなる。第３レンズ３は、物体側Ｌａのレンズ面３１が凹状の曲面からなり、像側Ｌｂのレンズ面３２が凸状の曲面からなる。第４レンズ４は、物体側Ｌａのレンズ面４１が凸状の曲面からなり、像側Ｌｂのレンズ面４２が凹状の曲面からなる。第５レンズ５は、物体側Ｌａのレンズ面５１が凸状の曲面からなり、像側Ｌｂのレンズ面５２が凸状の曲面からなり、第４レンズ４の像側Ｌｂのレンズ面４２と第５レンズ５の物体側Ｌａのレンズ面５１とが接着剤層７によって接合されている。
【００２０】
ホルダ９は、最も物体側Ｌａに配置された第１レンズ１を内側に保持する第１筒部９１と、複数のレンズのうち、第１レンズ１より像側Ｌｂに配置されたレンズ（物体側Ｌａから２番目以降に位置するレンズ：第２レンズ２、第３レンズ３、および接合レンズ６）を内側に保持する第２筒部９２とを有しており、第１筒部９１と第２筒部９２とは環状のフランジ部９３で繋がっている。第２筒部９２の内径は、第１筒部９１の内径より小さい。かかるレンズユニット１０を撮像装置に用いる際、赤外線フィルタ８３に対して像側Ｌｂに撮像素子（図示せず）が配置される。
【００２１】
第１レンズ１は、第１筒部９１の内側に配置されており、フランジ部９３に当接している。この状態で、第１筒部９１の物体側Ｌａの端部を塑性変形させたカシメ部９１５が第１レンズ１の外周部分に物体側Ｌａから被さって、第１レンズ１は第１筒部９１の内側に保持されている。フランジ部９３には環状の溝９４が形成されており、第１レンズ１とフランジ部９３との間には、溝９４の内側に配置された環状シール部材９５が介在している。
【００２２】
第２筒部９２の内側には環状の段部９２６が形成されており、接合レンズ６は、物体側Ｌａから段部９２６に当接し、位置決めされている。より具体的には、接合レンズ６において、第４レンズ４は、第５レンズ５より外径が大きく、第４レンズ４のフランジ部４５は、物体側Ｌａから段部９２６に当接し、位置決めされている。
【００２３】
接合レンズ６に対して物体側Ｌａには、絞り８２、第３レンズ３、遮光シート８１および第２レンズ２が順に重ねて配置されている。この状態で、第２筒部９２の物体側Ｌａの端部を塑性変形させたカシメ部９２５が第２レンズ２のフランジ部２５に物体側Ｌａから被さって第２レンズ２の物体側Ｌａへの移動が規制されている。このようにして、第２レンズ２、遮光シート８１、第３レンズ３、絞り８２、および接合レンズ６が第２筒部９２の内部に保持されている。
【００２４】
ここで、第２レンズ２は、第２筒部９２の内側に圧入されている。従って、第２筒部９２は、第２レンズ２のフランジ部２５が内側に圧入されたレンズ圧入部９２３と、フランジ部２５に物体側Ｌａから被さって第２レンズ２の物体側Ｌａへの移動を規制するカシメ部９２５とを備えている。本形態において、カシメ部９２５は、第２レンズ２の物体側Ｌａのレンズ面２１（物体側レンズ面）、および像側Ｌｂのレンズ面２２（像側レンズ面）を全周にわたって囲むように環状に形成されている。
【００２５】
（第２レンズ２周辺の詳細構成）
図２は、図１に示す第２レンズ２の端部等を拡大して示す説明図である。図２に示すように、第２レンズ２（溝付きレンズ）のフランジ部２５の外周面２５０は、光軸Ｌ方向において外径が一定である。これに対して、第２筒部９２の内周面９２０において、第２レンズ２のフランジ部２５を径方向外側で囲む部分は、物体側Ｌａに位置する部分９２１の内径が、像側Ｌｂに位置する部分９２２の内径より大きい。従って、第２筒部９２の内周面９２０において第２レンズ２のフランジ部２５を径方向外側で囲む部分のうち、物体側Ｌａに位置する部分９２１と、第２レンズ２のフランジ部２５の外周面２５０において物体側Ｌａに位置する部分２５６との間には隙間が存在している。
【００２６】
これに対して、第２筒部９２の内周面９２０において第２レンズ２のフランジ部２５を径方向外側で囲む部分のうち、像側Ｌｂに位置する部分９２２は、第２レンズ２が圧入されるレンズ圧入部９２３になっている。従って、第２レンズ２のフランジ部２５の外周面２５０のうち、像側Ｌｂに位置する部分２５７が第２筒部９２のレンズ圧入部９２３に圧入されている。
【００２７】
レンズ圧入部９２３は、第２レンズ２の物体側Ｌａのレンズ面２１、および像側Ｌｂのレンズ面２２を全周にわたって囲むように環状に形成されている態様や、第２筒部９２の内周面９２０において周方向の複数個所に設けられたリブによってレンズ圧入部９２３が構成されている態様を採用することができる。本形態において、レンズ圧入部９２３は、第２筒部９２の内周面９２０において周方向の複数個所に設けられたリブによって構成されている。
【００２８】
ここで、第２レンズ２のフランジ部２５の物体側Ｌａの面２５１には、カシメ部９２５より径方向内側で像側Ｌｂに向けて凹んだ溝２７（第１溝）が周方向に延在するように形成されている。本形態において、溝２７の深さ方向の少なくとも一部は、光軸Ｌに直交する方向からみたとき、ホルダ９のレンズ圧入部９２３の一部と重なっている。溝２７は、フランジ部２５の物体側Ｌａの面２５１に対して垂直に凹んでおり、溝２７の深さ方向は、光軸Ｌと平行である。
【００２９】
本形態では、第２レンズ２のフランジ部２５とホルダ９の第２筒部９２との間には、溝２７より径方向外側に接着剤８が設けられており、第２レンズ２は、レンズ圧入部９２３での圧入、カシメ部９２５、および接着剤８によって固定されている。接着剤８は、第２レンズ２のフランジ部２５の物体側Ｌａの面２５１と、カシメ部９２５の径方向内側の端部との間に設けられており、溝２７は、余剰な接着剤８を保持する接着剤溜まり部として利用されている。溝２７および接着剤８は、レンズ面２１、２２を全周にわたって囲むように環状に形成されている。
【００３０】
このように構成したレンズユニット１０において、少なくとも、第２レンズ２の物体側Ｌａのレンズ面２１に反射防止層２３がコーティングされている。なお、図示を省略するが、第１レンズ１の物体側Ｌａのレンズ面１１等にも反射防止層がコーティングされている。
【００３１】
（本形態の主な効果）
以上説明したように、本形態のレンズユニット１０において、第２レンズ２（溝付きレンズ）のフランジ部２５は、ホルダ９の第２筒部９２のレンズ圧入部９２３に圧入されているとともに、接着剤８によって第２筒部９２と固定されている。さらに、第２レンズ２のフランジ部２５は、カシメ部９２５によって固定されている。このため、ホルダ９内に第２レンズ２を十分な強度で固定することができる。ここで、第２レンズ２のフランジ部２５には、フランジ部２５の物体側Ｌａの面２５１から像側Ｌｂに向けて凹んだ溝２７（第１溝）が周方向に延在するように形成されており、接着剤８は、溝２７より径方向外側に設けられている。このため、接着剤８を塗布した際、余剰な接着剤８を溝２７に流入させることができる。それ故、接着剤８が第２レンズ２のレンズ面（物体側Ｌａのレンズ面２１、および像側Ｌｂのレンズ面２２）まで流出することを抑制することができる。
【００３２】
また、接着剤８は、第２レンズ２のフランジ部２５の物体側Ｌａの面２５１と、カシメ部９２５の径方向内側の端部との間に設けられている。このため、第２レンズ２を第２筒部９２のレンズ圧入部９２３に圧入した後、第２筒部９２の物体側Ｌａの端部を塑性変形させてカシメ部９２５を形成し、その後、接着剤８を塗布することができる。
【００３３】
また、溝２７の深さ方向の少なくとも一部がホルダ９のレンズ圧入部９２３と重なっている。このため、溝２７が接着剤８によって完全に埋まっていない場合や、接着剤８が弾性を有している場合、第２レンズ２のレンズ面（物体側Ｌａのレンズ面２１および像側Ｌｂのレンズ面２２）の変形を抑制することができる。すなわち、第２レンズ２のフランジ部２５には、矢印Ｆ１で示すように、カシメ部９２５から像側Ｌｂに向かう応力が加わっている。また、第２レンズ２のフランジ部２５には、矢印Ｆ２で示すように、レンズ圧入
部９２３から径方向内側に向かう応力が加わっている。このような場合でも、第２レンズ２のフランジ部２５には、カシメ部９２５より径方向内側で光軸Ｌに沿う方向に凹んだ溝２７（第１溝）が周方向に延在するように形成されているため、第２レンズ２では、径方向内側に向かう応力が溝２７によって吸収される。従って、レンズ面（物体側Ｌａのレンズ面２１および像側Ｌｂのレンズ面２２）が矢印Ａで撓むような変形が第２レンズ２に発生しにくい。それ故、第２レンズ２の光学特性が変化しにくく、耐熱試験等において反射防止層２３にクラック等が発生しにくい。
【００３４】
一方、各レンズの積立公差とカシメ量によるギャップや、カシメ部９２５を形成した際のカシメ部９２５の若干の弾性復帰力によって、フランジ部２５の物体側Ｌａの面２５１とカシメ部９２５との間に微細な隙間が形成される場合がある。このような場合でも、第２レンズ２のフランジ部２５の物体側Ｌａの面２５１と、カシメ部９２５の径方向内側の端部との間に接着剤８を設けることで、ホルダ９内に第２レンズ２や他のレンズを十分な強度で固定することができる。従って、何らかの衝撃により第２レンズ２が光軸Ｌ方向でずれることを防止することができるので、第２レンズ２の光軸Ｌ方向でのずれに起因する光学性能の低下を防止することができる。
【００３５】
［実施形態２］
図３は、本発明の実施形態２のレンズユニット１０の第２レンズ２の端部等を拡大して示す説明図である。なお、本形態および後述する実施形態３、４の基本的な構成は、実施形態１と同様であるため、共通する部分には同一の符号を付してそれらの詳細な説明を省略する。実施形態１では、溝２７の径方向における幅が深さ方向で略一定であったが、本形態では、図３に示すように、溝２７の径方向における幅が、開口縁側（物体側Ｌａ）で広く、深さ方向の奥（像側Ｌｂ）で狭くなっている。その他の構成は実施形態１と同様である。かかる態様によれば、余剰な接着剤８をスムーズに溝２７に流入させることができる。
【００３６】
［実施形態３］
図４は、本発明の実施形態３のレンズユニット１０の第２レンズ２の端部等を拡大して示す説明図である。図４に示すように、本形態のレンズユニット１０では、実施形態１と同様、第２レンズ２のフランジ部２５は、ホルダ９の第２筒部９２のレンズ圧入部９２３に圧入されているとともに、接着剤８によって第２筒部９２と固定されている。さらに、第２レンズ２のフランジ部２５は、カシメ部９２５によって固定されている。
【００３７】
本形態において、第２レンズ２には、物体側Ｌａのレンズ面２１の外縁２１０と像側Ｌｂのレンズ面２２の外縁２２０とを直線的に結ぶ仮想の環状面（図１および図２で一点鎖線Ｓで示す）より径方向外側に位置する外周側部分２４に、カシメ部９２５より径方向内側で、外周側部分２４の像側Ｌｂの面２４２から光軸Ｌに沿う方向に凹んだ溝２６（第２溝）が周方向に延在するように形成されている。外周側部分２４は、画像の撮像に必要な光が通過しない部分であり、かかる部分に溝２６が形成されている。また、光軸Ｌに対して直交する方向からみたとき、溝２６の深さ方向の少なくとも一部がホルダ９のレンズ圧入部９２３と重なっている。本形態において、溝２６の深さ方向の少なくとも一部がホルダ９のレンズ圧入部９２３の全体と重なっている。溝２６は、レンズ面２１、２２を全周にわたって囲むように環状に形成されている。また、溝２６は、外周側部分２４の像側Ｌｂの面２４２（フランジ部２５の像側Ｌｂの面２５２）に対して垂直に凹んでおり、溝２６の深さ方向は、光軸Ｌと平行である。
【００３８】
ここで、第２レンズ２の物体側Ｌａの面では、レンズ面２１の外縁２１０とフランジ部２５との間が段部になっており、レンズ面２１の外縁２１０より径方向外側がフランジ部２５になっている。従って、外周側部分２４の物体側Ｌａの面２４１は、フランジ部２５
の物体側Ｌａの面２４１と同一の面である。
【００３９】
これに対して、第２レンズ２の像側Ｌｂの面では、レンズ面２２の外縁２２０から第２レンズ２の外縁まで平面が延在しており、レンズ面２２の外縁２２０から径方向外側に離間した位置にフランジ部２５が位置している。従って、外周側部分２４の像側Ｌｂの面２４２は、レンズ面２２の外縁２２０から第２レンズ２の外縁まで延在する部分であり、外周側部分２４の像側Ｌｂの面２４２のうち、径方向外側に位置する部分がフランジ部２５の像側Ｌｂの面２５２である。
【００４０】
本形態において、溝２６は、外周側部分２４の像側Ｌｂの面２４２のうち、フランジ部２５の像側Ｌｂの面２５２から外周側部分２４の物体側Ｌａの面２４１（フランジ部２５の物体側Ｌａの面２５１）に向けて凹んでいる。その他の構成は、実施形態１と同様である。
【００４１】
このような態様では、第２レンズ２のフランジ部２５には、矢印Ｆ１で示すように、カシメ部９２５から像側Ｌｂに向かう応力が加わり、第２レンズ２のフランジ部２５には、矢印Ｆ２で示すように、レンズ圧入部９２３から径方向内側に向かう応力が加わっている。このような場合でも、第２レンズ２のフランジ部２５には、カシメ部９２５より径方向内側で光軸Ｌに沿う方向に凹んだ溝２６（第２溝）が周方向に延在するように形成されているため、第２レンズ２では、溝２７の構成にかかわらず、径方向内側に向かう応力が溝２６によって吸収される。従って、レンズ面（物体側Ｌａのレンズ面２１および像側Ｌｂのレンズ面２２）が矢印Ａで撓むような変形が第２レンズ２に発生しにくい。それ故、第２レンズ２の光学特性が変化しにくく、耐熱試験等において反射防止層２３にクラック等が発生しにくい。
【００４２】
また、レンズ圧入部９２３には、第２レンズ２のフランジ部２５の外周面２５０のうち、像側Ｌｂに位置する部分２５７が圧入されていることに対応して、溝２６は、外周側部分２４の像側Ｌｂの面２４２から物体側Ｌａに向けて凹んでいる。従って、光軸Ｌに直交する方向からみたとき、溝２６の深さ方向の少なくとも一部がレンズ圧入部９２３と重なるように、溝２６を設けやすい。
【００４３】
また、溝２６は、第２レンズ２のレンズ面２１、２２を全周にわたって囲むように環状に形成されている。このため、レンズ圧入部９２３が周方向の複数個所に配置されたリブによって構成されている場合でも、第２レンズ２では、径方向内側に向かう応力が溝２６によって適正に吸収される。従って、レンズ面（物体側Ｌａのレンズ面２１および像側Ｌｂのレンズ面２２）の変形をより適正に防止することができる。
【００４４】
［実施形態４］
図５は、本発明の実施形態４のレンズユニット１０の第２レンズ２の端部等を拡大して示す説明図である。図５に示すように、本形態のレンズユニット１０では、実施形態１と同様、第２レンズ２のフランジ部２５は、ホルダ９の第２筒部９２のレンズ圧入部９２３に圧入されているとともに、接着剤８によって第２筒部９２と固定されている。さらに、第２レンズ２のフランジ部２５は、カシメ部９２５によって固定されている。また、実施形態３と同様、第２レンズ２の外周側部分２４には、像側Ｌｂの面２４２から光軸Ｌに沿う方向に凹んだ溝２６（第２溝）が形成されている。
【００４５】
本形態において、溝２６の内部には、遮光層２８が設けられている。かかる遮光層２８は、液状の遮光材料を溝２６の内部に塗布あるいは充填することによって構成されている。かかる構成によれば、溝２６の内部での透過や壁面での内部反射を抑制することができる。それ故、図５に矢印Ｌ１で示すような光が入射して、溝２６の壁面に入射した場合で
も、溝２６の壁面での反射を抑制することができるので、溝２６の壁面で反射した光がレンズ面２２に迷光として入射するという事態が発生しにくい。それ故、迷光に起因するゴースト等が発生しにくい。
【００４６】
［他の実施形態］
上記実施形態において、カシメ部９２５、溝２６、２７、および接着剤８が、レンズ面２１、２２を全周にわたって囲むように環状に形成されていたが、カシメ部９２５、溝２６、２７、および接着剤８のうちの一部あるいは全部が、周方向の複数個所で円弧状に形成されている態様を採用してもよい。
【００４７】
上記実施形態３、４では、第２レンズ２に溝２６が１列、形成されていたが、第２レンズ２に溝２６が複数列、例えば２列形成されていてもよい。この場合、実施形態４で採用した遮光層２８は、複数の溝２６の少なくとも１つに設ければよい。また、実施形態３、４では、第２レンズ２の外周側部分２４のうち、フランジ部２５に溝２６が形成されていたが、第２レンズ２の外周側部分２４のうち、フランジ部２５より径方向内側に溝２６が設けてもよい。また、実施形態３、４では、第２レンズ２の外周側部分２４の像側Ｌｂの面２４２に垂直に溝２６が形成されていたが、外周側部分２４の像側Ｌｂの面２４２に対して溝２６を斜めに形成してもよい。
【００４８】
また、図３および図４では、溝２６の径方向における幅が深さ方向で略一定であったが、図３に示す溝２７のように、溝２６の径方向における幅が、開口縁側で広く、深さ方向の奥で狭くなっている態様であってもよい。
【００４９】
上記実施形態では、４群５枚のレンズ構成を有するレンズユニット１０に本発明を適用したが、３群３枚、４群４枚、５群６枚、あるいは６群７枚のレンズ構成等を有するレンズユニット１０に本発明を適用してもよく、レンズ構成に限定されない。また、上記実施の形態においては、接合レンズ６が１つであったが、複数の接合レンズを備えたレンズユニットに本発明を適用してもよい。
【００５０】
上記実施形態では、物体側Ｌａから２番目の第２レンズ２を溝付きレンズとしたが、物体側Ｌａから３番目以降のレンズを溝付きレンズとしてもよい。また、物体側Ｌａから１番目の第１レンズ１を溝付きレンズとしてもよい。また、上記実施形態では、複数のレンズのうちの１枚を溝付きレンズとしたが、２枚以上のレンズを溝付きレンズとしてもよい。
【符号の説明】
【００５１】
１…第１レンズ、２…第２レンズ（溝付きレンズ）、３…第３レンズ、４…第４レンズ、５…第５レンズ、６…接合レンズ、８…接着剤、９…ホルダ、１０…レンズユニット、１０ａ…広角レンズ、２１…レンズ面（物体側レンズ面）、２２…レンズ面（像側レンズ面）、２３…反射防止層、２４…外周側部分、２５…フランジ部、２６…溝（第２溝）、２７…溝（第１溝）、２８…遮光層、９１…第１筒部、９２…第２筒部、２１０、２２０…外縁、２４１、２４２、２５１、２５２…面、２５０…外周面、９２３…レンズ圧入部、９２５…カシメ部、Ｆ１、Ｆ２…応力、Ｌ…光軸、Ｌａ…物体側、Ｌｂ…像側
【図１】
2019060944.tif 000003
【図２】
2019060944.tif 000004
【図３】
2019060944.tif 000005
【図４】
2019060944.tif 000006
【図５】
2019060944.tif 000007